(57)【要約】      （修正有）【課題】一般的なボトルを使用した上で錠剤破損を防止する包装仕様を提供する。【解決手段】ケースと連結させた伸縮性部材にボトルネック部分を吊るし、ボトル自体が振動することにより輸送による振動、衝撃から錠剤を保護し、錠剤の破損を防止することができる。使用するボトルも一般的なボトルをそのまま使用することができ、ケースから外せば一般的な大きさ、形状のボトルであるため、薬局などの保管、調剤においても違和感がない。また、減圧装置など、特殊な設備を必要とせず、容易に組み立て、包装が可能であり、製造コストを低く抑えることができるため、工業的に有利である。【選択図】図１
2016171903.tif 000002
【特許請求の範囲】
【請求項１】
錠剤が入ったボトルを収納するためのケースであって、ボトルのネック部分を吊るすための部材があり、当該部材がケース本体と伸縮性部材により連結しており、ボトルのすべての面とケースとの間に空間を有することにより、ボトルの全方向への振動を可能にする収納ケース。
【請求項２】
伸縮性部材が輪ゴムである請求項１記載の収納ケース。
【請求項３】
伸縮性部材がバネである請求項１記載の収納ケース。
【請求項４】
伸縮性部材がジャバラである請求項１記載の収納ケース。
【請求項５】
伸縮性部材がシリコン製ネットである請求項１記載の収納ケース。
【請求項６】
ボトルのネック部分を吊るすための部材と伸縮性部材が同一材質であり、一体化したものである請求項１〜５記載の収納ケース。
【請求項７】
ボトルのネック部分を吊るすための部材が伸縮性ではなく、伸縮性部材とつないだ上でケース本体と連結させた請求項１〜５記載の収納ケース。
【請求項８】
請求項１〜７記載の収納ケースをさらに紙箱に入れた包装形態。
【請求項９】
収納ケース側面と紙箱の間に空間を有する、請求項８記載の包装形態。
【請求項１０】
収納ケース側面と紙箱の間の空間に緩衝材を封入した、請求項９記載の包装形態。
【請求項１１】
緩衝材が紙を折りたたんだ部材である、請求項１０記載の包装形態。
【請求項１２】
紙を折りたたんだ部材が添付文書である、請求項１１記載の包装形態。
【請求項１３】
収納ケースが直方体であり、その材質が紙であり、組み立てた時に対面となる二つの側面に切り込みを入れることで伸縮性部材を連結することを可能とし、収納ケースを開いた状態でボトルのネック部分を吊るすための部材と伸縮性部材及びボトルをセットし、折りたたむことで容易に組み立てが可能な請求項１または２に記載の収納ケース。
【発明の詳細な説明】
【技術分野】
【０００１】
本発明は壊れ易い錠剤をボトルに充てんした後、そのボトル内の錠剤を輸送時の振動・衝撃から保護する収納ケースに関する。
【背景技術】
【０００２】
一般的に錠剤を充てんしたボトルには開口部から樹脂シートなどの緩衝材を詰め開口部のキャップを閉じ、錠剤を緩衝材で押さえることによりボトル内での錠剤の移動を防止し、輸送時の振動、衝撃から錠剤の割れ、欠け、擦れを防止している。しかし容器内に少しでも隙間がある場合、輸送時の振動等により錠剤同士が擦れ、破損してしまう。そこで、輸送時の振動、衝撃から錠剤の割れ、欠け、擦れを防止する緩衝機能を備えた容器が提案されている。
【０００３】
たとえば特許文献１の容器は、二重構造の容器となっており、柔軟性がある筒状の内容器に錠剤を充填し、逆止弁付きのシールフィルムを取り付けた後、内部空間を脱気することにより錠剤同士を密着させている。さらに内容器よりも大きい外容器に入れることで、内容器と外容器の間に間隙が形成され、外容器が衝撃を受けても内容器に直接接触しない構造とし、錠剤破損を防止していることを特徴とする。
【０００４】
特許文献２の容器も、外容器と柔軟性のある内容器との二重構造となっているのは同様であるが、一体成型により製造されており、内容器と外容器の間に外気を導入するための孔があり、逆止弁付きのキャップを閉めたのち、脱気することにより内容器が収縮して錠剤同士を密着させ、錠剤破損を防止する仕組みとなっている。
【０００５】
特許文献３の容器も二重構造の容器であるが、内容器の一部が外容器と接触しており、変形可能な内容器を収縮させて外容器に挿入後、内容器を膨らませ、一部の凸面を外容器と接触させることで隙間を維持した状態で内容器を固定している。この構造により、衝撃が内容器に直接伝わりにくくなり、錠剤破損が防止される。
【０００６】
特許文献４の包装用箱は、両側面に緩衝空間を有する組み立て箱となっており、錠剤のＰＴＰシートを束ねて包装した袋を入れたのち、天面のフラップを閉じると側面の緩衝部が突出し、袋を固定すると共に、緩衝空間を形成することで外部からの衝撃が錠剤の袋に伝わりにくくなり、錠剤破損が防止されるものである。
【先行技術文献】
【特許文献】
【０００７】
【特許文献１】特許第５４２５９２３号
【特許文献２】特許第５１６４１１４号
【特許文献３】特許第４５２８４９４号
【特許文献４】特許第５２６３１７２号
【発明の概要】
【発明が解決しようとする課題】
【０００８】
特許文献１及び２の二重容器は共に容器に錠剤を充てん後、脱気工程及び減圧装置が必要であり、どちらも真空引きできる構造及び真空状態を担保する特殊な容器でなければならない。また、そのような容器を製造するためには特別な設備を必要とする。
【０００９】
特許文献３の二重容器は、錠剤充填後の脱気工程は必要ないものの、内容器を収縮させ、外容器に挿入後膨らませるための装置が必要であり、容器間の空気層を保持してクッション性を高めるためには各容器の開口部同士を熱溶着する必要があるなど、容器を製造するために特殊な設備が必要であることは特許文献１及び２の二重容器と同様である。
【００１０】
特許文献４の包装用箱は、ＰＴＰシートを束ねて包装した袋の包装用箱を想定したものであり、たとえば錠剤ボトルを収納した場合、側面以外には緩衝能がないため、錠剤に直接衝撃が伝わり、破損を防止できないものである。
【００１１】
従って、特殊構造の容器を製造するための特殊設備を必要とせず、一般的なボトルを使用した上で錠剤破損を防止できる包装体が求められている。
【課題を解決するための手段】
【００１２】
本発明は、ケースと連結させた伸縮性部材にボトルネック部分を吊るし、ボトル自体が振動することにより輸送による振動、衝撃から錠剤を保護する機構であり、使用するボトルも一般的なボトルをそのまま使用することができることを特徴とする。
【００１３】
すなわち、本発明は、
［１］錠剤が入ったボトルを収納するためのケースであって、ボトルのネック部分を吊るすための部材があり、当該部材がケース本体と伸縮性部材により連結しており、ボトルのすべての面とケースとの間に空間を有することにより、ボトルの全方向への振動を可能にする収納ケース、
［２］伸縮性部材が輪ゴムである上記［１］記載の収納ケース、
［３］伸縮性部材がバネである上記［１］記載の収納ケース、
［４］伸縮性部材がジャバラである上記［１］記載の収納ケース、
［５］伸縮性部材がシリコン製ネットである上記［１］記載の収納ケース、
［６］ボトルのネック部分を吊るすための部材と伸縮性部材が同一材質であり、一体化したものである上記［１］〜［５］記載のいずれかの収納ケース、
［７］ボトルのネック部分を吊るすための部材が伸縮性ではなく、伸縮性部材とつないだ上でケース本体と連結させた上記［１］〜［５］記載のいずれかの収納ケース、
［８］上記［１］〜［７］記載のいずれかの収納ケースをさらに紙箱に入れた包装形態、
［９］収納ケース側面と紙箱の間に空間を有する、上記［８］記載の包装形態、
［１０］収納ケース側面と紙箱の間の空間に緩衝材を封入した、上記［９］記載の包装形態、
［１１］緩衝材が紙を折りたたんだ部材である、上記［１０］記載の包装形態、
［１２］紙を折りたたんだ部材が添付文書である、上記［１１］記載の包装形態、
［１３］収納ケースが直方体であり、その材質が紙であり、組み立てた時に対面となる二つの側面に切り込みを入れることで伸縮性部材を連結することを可能とし、収納ケースを開いた状態でボトルのネック部分を吊るすための部材と伸縮性部材及びボトルをセットし、折りたたむことで容易に組み立てが可能な上記［１］または［２］に記載の収納ケースに関する。
【発明の効果】
【００１４】
本発明のケースにボトルを吊るすことにより、ボトル内の錠剤を輸送時の振動、衝撃から保護し、錠剤の破損を防止することができる。使用するボトルも一般的なボトルをそのまま使用することができ、ケースから外せば一般的な大きさ、形状のボトルであるため、薬局などの保管、調剤においても違和感がない。また、減圧装置など、特殊な設備を必要とせず、容易に組み立て、包装が可能であり、製造コストを低く抑えることができるため、工業的に有利である。
【図面の簡単な説明】
【００１５】
【図１】伸縮性部材が輪ゴムである収納ケース：  ケースは直方体又は円柱状であり、ケースに切り込みを入れ、ボトルのネック部分を輪ゴムで吊るす。
【図２】伸縮性部材がバネである収納ケース：ケース部材の天面に固定したバネにてボトルのネック部分を吊るす。
【図３】伸縮性部材がジャバラである収納ケース：ケース部材と一体となったジャバラにてボトルのネック部分を吊るす。
【図４】伸縮性部材がシリコン製ネットである収納ケース：ケースにシリコン製のネットを固定してボトルのネック部分をはめ吊るす。
【図５】ボトルネック部分を吊るすための部材と伸縮性部材が同一素材であり一体化した収納ケース：ツメ付きのキャップをボトルキャップにはめ吊るす。
【図６】ボトルネック部分を吊るすための部材が伸縮性部材ではなく、伸縮性素材とつないだ上でケース本体と連結させた収納ケース：ツメ付きのキャップをボトルキャップにはめ、四隅を輪ゴムまたはバネにて連結し吊るす。
【図７】収納ケースをさらに紙箱に入れた包装形態
【図８】収納ケース展開図
【図９】展開した収納ケースに輪ゴムとボトルをセットした状態（折りたたむことで容易にケースを組み立てることができる。）
【発明を実施するための形態】
【００１６】
以下、本発明の実施形態について、図面を参照して説明する。なお、以下に説明する部材、配置等は本発明を限定するものではなく、本発明の趣旨に従い適宜改変できるものである。
図１に示すとおり、本発明のケースは、直方体、円柱状等、形状は問わないが、ボトルが収納されたときに空間が確保できるよう、ボトルよりも大きな寸法とする必要がある。必要な寸法はボトルの形状や伸縮性部材の種類によっても異なるが、ボトルの全方向への振動が可能であれば問題ない。なお、振動時にボトルがケース本体と接触することは機能上問題なく、少なくとも上下１０ｍｍ、側面５ｍｍの空間が確保されていればよい。なお、ケースの寸法を必要以上に大きくすることは機能上の問題はないものの、包装の大型化により流通コストが上昇するため好ましくない。
【００１７】
ケースの材質は紙、各種プラスチック、木材など材質は問わないが、加工のしやすさや、コストの点から紙が好ましい。
【００１８】
ケースの天面及び底面は開放状態でもよいが、図２に示すように伸縮性部材を天面から吊るす必要がある場合には、天面板が必要となる。
【００１９】
伸縮性部材は、ボトルの振動を可能にするものであればよく、輪ゴム、バネ、ジャバラ、ネットなどが挙げられるが、ケースへの連結の簡便性やコストの点で輪ゴムが好ましい。輪ゴムの材質は天然ゴム、合成ゴム、シリコンゴムなど材質は問わず、長時間の振動に耐えられる強度があり、ボトルの振動が可能な太さ、寸法のものであればよい。なお、その他の伸縮性部材についても材質は問わず、たとえばバネであれば金属製、プラスチック製、ジャバラであれば紙製、プラスチック製、ネットであればシリコン製、ゴム製などが挙げられる。
【００２０】
本発明のケースにボトルを吊るすには、図１〜５に示すとおり、伸縮性部材自体を利用してボトルのネック部分を引っかけた上でケースに固定する方法がある。これは本発明の一形態である、ボトルのネック部分を吊るすための部材と伸縮性部材が同一材質であり、一体化したものである収納ケースに該当する。
【００２１】
一方、本発明のさらなる形態である、ボトルのネック部分を吊るすための部材が伸縮性ではなく、伸縮性部材とつないだ上でケース本体と連結させた収納ケースを、図６に示す。ボトルのネック部分を吊るすための部材としては、例えばボトルのキャップよりも一回り大きい寸法のツメ付きキャップを使用する。そのキャップの四隅に伸縮性部材をつなぎ、ケースと固定することでボトルの振動が可能となる。
その他、ボトルのネック部分を吊るすための部材としてはボトルキャップの外径よりやや小さめに中心をくりぬいた紙製の板なども使用できる。
【００２２】
本発明のケースは、通常、図７に示す通りさらに紙箱に入れた上で製品化される。紙箱とケースの間には空間が確保できるようにすることが好ましい。その場合、ケースの天面及び底面に紙箱の内寸に等しい天面板、底面板を付けることで紙箱収納時にケースが固定されるため、好ましい。
【００２３】
紙箱とケースの間の空間には、必要に応じて緩衝材を封入することができる。緩衝剤は折りたたんだ紙やポリ袋、エアクッション、スポンジなど、材質や種類は問わない。なお、医薬品においては添付文書の挿入が義務付けられているため、折りたたんだ添付文書を緩衝剤として利用してもよい。
【００２４】
本発明のケースは容易に組み立てられることができる。図８及び９に示すとおり、開いた状態のケースの側面二箇所に伸縮性部材である輪ゴムをセット後、交差させてボトルのネック部分を引っかけ、組み立てるだけでボトルのすべての面とケースの間に空間を有し、ボトルの全方向への振動を可能にする収納ケースが完成する。なお、図８及び９のケースは底面が二重底になっており、底面からの衝撃が吸収される構造になっているが、この構造は必須ではない。
【００２５】
本発明のケースは、各種錠剤を充填したボトルに適用できる。錠剤は医薬用途に限らず、サプリメント、菓子、入浴剤など、あらゆるものに適用できるが、錠剤の強度が低く、壊れやすいものに適用すると破損防止効果が高い。なお、錠剤の破損とは、錠剤の擦れ、削れ、欠け、割れなど、製造時の形状を維持していないもの全般を指す。特に医薬分野では口腔内崩壊錠に適用することで高い効果が得られる。
【実施例】
【００２６】
以下、実施例により本発明の効果を具体的に示す。
本発明の図９に示す収納ケースを紙箱に入れた仕様と、比較例としてボトルを紙箱に入れただけの緩衝機構を有さない仕様を用いて振動試験を行い、内容物の破損状況について確認した。
【００２７】
内容物としては、直径９．５ｍｍ、厚さ３．８ｍｍ、重量３２０ｍｇ、シュロイニゲル硬度計で１０錠を測定したときの平均硬度が８ｋｇの口腔内崩壊錠を使用し、プラスチック製ボトルに１００錠を充填した上で緩衝剤を挿入し、錠剤が動きにくい状態とした上でキャップを閉め、試験に供した。
【００２８】
振動試験は以下に示す方法にて行った。
使用設備：アイデックス株式会社輸送梱包試験機（ＭＯＤＥＬ：ＢＦ−５０ＵＴ）
設定条件：輸送梱包モード（ Ｌｏ：１０Ｈｚ  Ｈｉ：４０Ｈｚ  掃引時間：１分  サイクル数：２０回 ×３回）
振動時間：２０分／１０００ｋｍ輸送相当、４０分／２０００ｋｍ輸送相当、６０分／３０００ｋｍ輸送相当
試験方法：試験開始前、１０００ｋｍ、２０００ｋｍ、３０００ｋｍ相当時に全数目視検査を実施し、擦れ、削れなどの破損があるものを不良品として計数した。
【００２９】
表１に示すとおり、本発明の仕様では不良品が１００錠中０錠に対し、比較例においては不良品が１００錠中合計１４錠あり、良品と判断したものも本発明の仕様における良品と比較すると全体的にわずかな擦れが確認された。
【００３０】
【表１】
2016171903.tif 000003
【００３１】
本発明の包装仕様は、緩衝機構を有さない包装仕様と比較して擦れ、削れ等の不良錠を大幅に低減させることができ、錠剤の破損を防止できる効果が確認された。
【産業上の利用可能性】
【００３２】
本発明のケースにボトルを吊るすことにより、ボトル内の錠剤を輸送時の振動、衝撃から保護し、錠剤の破損を防止することができる。使用するボトルも一般的なボトルをそのまま使用することができ、ケースから外せば一般的な大きさ、形状のボトルであるため、薬局などの保管、調剤においても違和感がない。また、減圧装置など、特殊な設備を必要とせず、容易に組み立て、包装が可能であり、製造コストを低く抑えることができるため、工業的に有利である。
【図１】
2016171903.tif 000004
【図２】
2016171903.tif 000005
【図３】
2016171903.tif 000006
【図４】
2016171903.tif 000007
【図５】
2016171903.tif 000008
【図６】
2016171903.tif 000009
【図７】
2016171903.tif 000010
【図８】
2016171903.tif 000011
【図９】
2016171903.tif 000012